(57)【要約】      （修正有）【課題】背を高く見せる付け踵又靴の中敷を提供する。【解決手段】踵状に造形した発泡ウレタン体１１上部に粘着ゴムシート１２を貼り合わせた付け踵あり粘着ゴムシート１２の上面は踵の丸味に合わせて窪み１３が設けられており発泡ウレタン体１１にはマグネット１４が埋め込まれている事を特徴とする身長を高くする為の付け踵。【選択図】図１
0003122402.tif 000002
【実用新案登録請求の範囲】
【請求項１】
踵状に造形した発泡ウレタン体（１１）の上部に粘着ゴムシート（１２）を貼り合わせた付け踵であり、上記粘着ゴムシート（１２）の上面は踵の丸味に合わせて窪み（１３）が設けられており上記発泡ウレタン体（１１）にはマグネット（１４）が埋め込まれている事を特徴ととする身長を高くする為の付け踵（１）。
【請求項２】
発泡ゴム層（２１）発泡ウレタン層（２２）発泡ゴム層（２３）の三層から成る靴の踵部に入れる中敷き（２）でありこの中敷き（２）の発泡ゴム層（２１）と発泡ウレタン層（２２）の中央より斜め前方に徐徐に厚さを薄くした斜部（２４）（２５）が設けられており上記発泡ウレタン（２２）にはマグネット（２６）が埋め込まれている事を特徴とする身長を高くする為の靴の中敷き（２）。
【考案の詳細な説明】
【技術分野】
【０００１】本考案は足の踵部分に付け踵を付ける事によって背を高くする付け踵（１）と靴の中敷きの踵部分に入れることにより背を高くする靴の中敷き（２）に関する。
【背景技術】
【０００２】今迄にシークレット中敷とゆう名称で靴の中敷きで背を高くする物がありますが長時間使用していると足に負担がかかったり外出先でコンパクトでない為ポケットなどにしまう事ができない。又サンダル草履に使用できず室内にてサンダル履を脱いで身長を高くする製品はなかった。
【考案の開示】
【考案を解決しようとする課題】
【０００３】本考案はサンダル草履に使用でき足の踵に付ける事によってサンダル草履を脱いでも身長を高くする事ができる付け踵（１）と外出先でポケットなどにしまう事のできるコンパクトな身長を高くする事のできる靴の中敷（２）であり両方にマグネットを埋め込む事で長時間使用を可能にしている。マグネットの位置は足の疲れなどを取る元気の壺の位置に当るようにしている。又本考案は遺伝などで背の低い人の為に堤供しようとするものであります。
【課題を解決するための手段】
【０００４】請求項１記載の付け踵は踵状に造形した発泡ウレタン体（１１）の上部に粘着ゴムシート（１２）を貼り合せた付け踵であり上記粘着ゴムシート（１２）の上面は踵の丸味に合わせて窪み（１３）が設けられており上記発泡ウレタン体（１１）にはマグネット（１４）が埋め込まれている。
【０００５】請求項２記載の靴の中敷は靴の踵部に入れる中敷で発泡ゴム層（２１）発泡ウレタン層（２２）発泡ゴム層（２３）の三層から成りこの中敷（２）の発泡ゴム層（２１）と発泡ウレタン層（２２）の中央より斜め前方に徐徐に厚さを薄くした斜部（２４）（２５）が設けられており上記発泡ウレタン層（２２）にはマグネット（２６）が埋め込まれている。
【考案の効果】
【０００６】従って本考案の付け踵（１）は今迄になく靴以外の履物サンダル草履にも使用でき又室内で履物を履なくても身長を高くする事ができる
【０００７】本考案の中敷（２）は外出先など靴を脱ぐ場合コンパクト型にて人目に悟られにくくポケットなどにしまう事ができ又・上記の付は踵１と靴の中敷２は材質をクッション性に優れた発泡ウレタン体や発泡ゴム層で造られているので履き心地がよくさらに足の疲れなどを取る元気の壺の位置にマグネットを埋め込む事で疲れにくく長時間使用を可能にして身長を高くする事ができる。
【考案を実施するための最良の形態】
【実施例１】
【０００８】以下本考案の実施例を図面を用いて説明する図１は本考案の付け踵１を示す。踵状に造形した発泡ウレタン体（１１）（三洋産業社製品番ＲＳＴ１０２０２０）で高さ３５ｍｍ長さ１００ｍｍ底部長さ４０ｍｍの図のような形状の物を用いた。その表面は踵の丸みに合わせた窪み（１３）を設け、その深い所は５ｍｍとした。この発泡ウレタン体（１１）にはマグネット（シンワ測定社製ハイカーボンスチールマグネット）（１４）を埋めこんだ。この上に厚さ２ｍｍの粘着ゴムシート（１２）（北川工業社製スイレン系ポリマーＮＯ２００４１２）を窪みに合わせて張り付けた。
得れた付け踵は素足の踵に付ける事ができこの上から靴下を履けば人に見られる事もなく背を高く見せる事ができる。
【実施例２】
【０００９】図２は本考案の中敷きを示す図である。厚さ５ｍｍの発泡ゴム層（２１）（イノアップリビング社製品番ＮＢＲ４０１１６０）と実施例１に用いた同じ発泡ウレタン層（２２）の厚さ２５ｍｍを張り付け更にその下に上と同じ厚さ５ｍｍの発泡ゴム層（２１）を張り付けた。中央より斜め前方に徐徐に厚さを薄くした斜部（２４，２５）が設けられており上記発泡ウレタン層（２２）には実施例１に用いたマグネットと同じものを埋めこんだ。得れた中敷は靴の中敷として用いた時クッション性が有り履き心地好く背を高く見せる事ができる。【００１０】請求項２は市販されているほとんどの靴に使用でき普通の靴として使用する時はコンパクトゆえ人目につかず抜き取る事ができる。
【産業上の利用可能性】背を高く見せたい人に非常に役立つ物である。
【図面の簡単な説明】
【図１】実施例１を示す。
【図２】実施例２を示す。
【符号の説明】
１  付け踵
１１  発泡ウレタン体
１２  粘着ゴムシート
１３  窪み
１４，２６  マグネット
２  中敷
２１，２３  発泡ゴム層
２２  発泡ウレタン層
２４，２５  斜部
【図１】
0003122402.tif 000003
【図２】
0003122402.tif 000004
【手続補正書】
【提出日】平成18年3月6日(2006.3.6)
【手続補正１】
【補正対象書類名】実用新案登録請求の範囲
【補正対象項目名】請求項２
【補正方法】変更
【補正の内容】
【請求項２】
発泡ウレタン体（１１）下部に粘着ゴムシート（１２）を貼り合わせて成る靴の踵部に入れる中敷き（２）でありこの中敷き（２）の発泡ウレタン体（１１）の中央より斜め前方に除除に厚さを薄くした斜部（１５）が設けられており上記発泡ウレタン体（１１）にはマグネット（１４）が埋め込まれている事を特徴とする身長を高くする為の靴の中敷き（２）。
【手続補正２】
【補正対象書類名】明細書
【補正対象項目名】０００５
【補正方法】変更
【補正の内容】
【０００５】請求項２記載の靴の中敷は靴の踵部に入れる発泡ウレタン体（１１）下部に粘着ゴムシート（１２）を貼り合わせて成る靴の踵部に入れる中敷（２）でありこの中敷（２）の発泡ウレタン体（１１）の中央より斜め前方に除除に厚さを薄くした斜部（１５）が設けられており上記発泡ウレタン体（１１）にはマグネット（１４）が埋め込まれている。
【手続補正３】
【補正対象書類名】明細書
【補正対象項目名】０００７
【補正方法】変更
【補正の内容】
【０００７】本考案の中敷（２）は外出先など靴を脱ぐ場合コンパクト型にて人目に悟られにくくポケットなどにしまう事ができ又上記の付け踵（１）と靴の中敷（２）は材質をクッション性の優れた発泡ウレタン体で造られているので履き心地がよくさらに足の疲れなどを取る元気の壺の位置にマグネットを埋め込む事で疲れにくく長時間使用を可能にして身長を高くする事ができる。
【手続補正４】
【補正対象書類名】明細書
【補正対象項目名】０００９
【補正方法】変更
【補正の内容】
【０００９】図２は本考案の中敷きを示す図である実施例１に用いた同じ発泡ウレタン体（１１）の厚さ３３ｍｍのその下に厚さ２ｍｍの粘着ゴムシート（１２）を貼り付けた中央より斜め前方に除除に厚さを薄くした斜部（１５）が設けられており上記発泡ウレタン体（１１）には実施例１に用いたマグネット（１４）が埋めこんだ。得れた中敷は靴の中敷として用いた時クッション性が有り履き心地好く身長を高くする事ができる。
【手続補正５】
【補正対象書類名】明細書
【補正対象項目名】符号の説明
【補正方法】変更
【補正の内容】
【符号の説明】
１  付け踵
１１  発泡ウレタン体
１２  粘着ゴムシート
１３  窪み
１４  マグネット
２  中敷
１５  斜部
【手続補正６】
【補正対象書類名】図面
【補正対象項目名】図２
【補正方法】変更
【補正の内容】
【図２】
0003122402.tif 000005